(57)【要約】      （修正有）【課題】初心者や片手が不自由な方でも手軽に楽曲を演奏でき、医学的リハビリテーション用に手指の機能回復訓練用としても使用し片手だけで演奏できるオカリナを提供する。【解決手段】陶製もしくは木、プラスチック等で形成された筒型オカリナ本体１は片手で握れる大きさとし、中空状突起２の先端を吹き口３、他端を本体１に立設して歌口４とし、筒型本体１側辺の各指先位置に対応した各指孔５ａ、５ｂを任意数設けたオカリナ本体１側辺上部に落下防止用突起６ａを設け、さらに、側辺中間部の第２指と第３指間、第３指間と第４指間、第４指間と第５指間の任意箇所に落下防止用突起６ｂを設けた。【選択図】図１
2015225337.tif 000002
【特許請求の範囲】
【請求項１】
主に陶製で形成された筒型のオカリナ本体は片手で握れる大きさとし、該本体上部には中空状突起を立設し、先端を吹き口とし立設部に歌口を設け、本体側辺に各指用指孔を任意数設けたオカリナ本体の側辺上部及び該側辺に沿って落下防止用突起を任意数設けたことを特徴とする片手オカリナ。
【請求項２】
主に陶製で形成された筒型のオカリナ本体は片手で握れる大きさとし、オカリナ本体側辺に設けた第一指用指孔は第一指指先で覆え、かつ、オカリナの必須指孔総面積を１または数個で満たす大きさの指孔として設けて成る事を特徴とする片手オカリナ。
【発明の詳細な説明】
【技術分野】
【０００１】  本発明は管楽器の一種であるオカリナに関するものである。
【背景技術】
【０００２】  オカリナはエアリード式の笛で、主に陶製で木製やプラスチック製もある。  形状は主に涙滴状で吹き口と歌口を設け、さらに音高を変える指孔を必要数設けて、両手で持って各指孔を開閉することにより手軽に楽曲を演奏できる。  オカリナは大きさと各指孔の大きさで音階が変わり、総体積で音域が決定する。  例えばアルトＣ調の８音ではＣ４ドからＣ５ド迄、ソプラノＣ調の８音ではＣ５ドからＣ６ド迄となる。  従来のオカリナは手軽ではあるが、両手を使って各指を単独で動かして各音を発生させるため１０指全部の音と位置を覚えなければならないので初心者はなかなか覚えることができず、挫折しやすい。【０００３】  オカリナは一般的に指孔の開閉により一オクターブ程度の音域を演奏できるが、低音域では各指で各指孔を閉じるのでオカリナ本体を多くの指で握る形態となり本体は十分に保持されるが、高音域では多くの指を指孔から離し、最高音では指を指孔から全部離す状態となるのでオカリナ本体を保持するのが非常に難しく不安定になる。
さらに、演奏では曲の速さで各指とも指孔の開閉時間が異なる為、指孔の開閉を含めて１０指を個別に滑らかに動かさなければならなかった。  また、壺型で指孔数が少ないオカリナや土笛も有るが基本的に両手で保持しなければならなかった。【０００４】  なお、片手で操作出来る様に、壺型で掌中に入る大きさのオカリナもあるが、掌中の大きさは指の長さや身長の違い、男女差等によって大きく異なるのでソプラノＣ調型やアルトＣ調型等のオカリナを制作する場合では指孔位置等を各個人別に異なる設定をする必要があった。  また、掌が接するのが底面であり、各指孔位置に指を添えるのだが演奏中は手指と吹き口近く位しか見え難いので、どの様に演奏しているか判別し難い。
【先行技術文献】
【特許文献】
【０００５】
【特許文献１】  特開２００３−１０８１１７
【特許文献２】  特開２００８−１５２２１７
【発明の概要】
【発明が解決しようとする課題】
【０００６】  初心者や片手が不自由な方でも手軽に楽曲を演奏できる様に、また医学的リハビリテーション用に手指の機能回復訓練用としても楽しみながら使用できるよう片手だけで演奏するオカリナを提供しようとするものである。  通常の両手を用いるオカリナより片手では保持する指が少なくなるが通常のオカリナと同様に最高音では指を指孔から全部離す状態となるが掌中から落下せず、かつ、指孔開閉時の指位置安定が必要とされる。
また、視覚障碍者が使用する時に点字の楽譜を触読するには曲の途中でも片手を離して行わなければならなかった。
【課題を解決するための手段】
【０００７】  陶製もしくは木、プラスチック等で形成された筒型の片手オカリナ本体（１）は片手で握れる大きさとし、該本体上部には中空状突起（２）を立設し、先端を吹き口（３）とし、立設部に歌口（４）を設け、本体を握った状態の時に側辺と接する各指先位置に対応した各指孔（５ａ）（５ｂ）を任意数設けたオカリナ本体側辺上部に落下防止用突起（６ａ）、同側辺部に落下防止用突起（６ｂ）を設けた。  なお、オカリナ本体は右手用と左手用があり、同形だが指孔位置が対称となる。
【発明の効果】
【０００８】  片手オカリナは吹き口と歌口の構造が従来のオカリナとほぼ同様であるが、内部容量と指孔の総面積で音域が決定されるので外形部分に突起が立設されても音色に影響しない。指孔（５ａ）（５ｂ）を任意数設けた片手オカリナ本体側辺上部に落下防止用突起（６ａ）を設けたので全指を指孔から離した状態でも手指の第二指（７）上部が係止され、掌中に留まり落下を免れる。  さらに、側辺の各指間、例えば第２指と第３指（１０）間、第３指間と第４指（１１）間、第４指間と第５指（１２）間等の任意箇所に落下防止用突起（６ｂ）を設けると全指を指孔から離した状態でもオカリナは指間に係止されるので更に安定して掌中に留まりオカリナは落下を免れる。  この為、各指の指孔開閉時用ガイドとしても役立つので各人手の大きさが多少違っても共通して使用できる。  この様に、本発明は片手で保持し、その五指の指先だけで演奏できるが、右手用と左手用では指孔位置が対称となるので別個のオカリナが必要となる。  しかし、例えば右手用と左手用のオカリナを両手に持って同時に吹けば一人で二重奏することとなり、右手はアルト音域用オカリナ、左手はソプラノ音域用オカリナ等を持って吹けば広音域の楽曲を演奏することができる。【０００９】  また、第一指用指孔（８）は第一指（９）指先で覆え、オカリナの必須指孔総面積を１または数個で満たす大きさの指孔とすると他指孔はほぼ不要となり、第一指指先の僅かな開閉や移動で音階を変えることが出来るので病気等で片手や指先の動きが不自由な場合でも指一本で演奏する事ができる。
さらに、病気や怪我で手の動きが不自由でもリハビリテーション運動を繰り返せば徐々に機能回復して動かすことが出来る場合には単調な運動より馴染んだ曲の演奏を練習した方が楽しいし、練習するほど色々な曲も覚えられ脳の活性化にも繋がる。
【図面の簡単な説明】
【００１０】
【図１】  本発明の一実施例を示す斜視図。
【図２】  本発明の実施例を示す一部切断斜視図。
【図３】  本発明の他実施例を示す斜視図。
【発明を実施する為の形態】
【００１１】  以下、本発明の実施の形態について説明する。
陶製もしくは木、プラスチック等で形成されたオカリナは筒型でソプラノＣ調型やアルトＣ調型等が有り、各型必須の内容量があるが音域が８音型と１０音型では大きさが異なる。  アルト８音型の場合、指孔を全部押えて閉じるとＣ４ドの音が出る様に孔の大きさを調整する。  順次Ｃ５ドまで各音毎に孔の大きさを調整するがＡ４ラからは指四本を指孔から離しＣ５ドでは指孔から指が全部離れるのでオカリナの落下防止用突起が必要となる。アルト１０音型やソプラノ８音型１０音型でも同様で落下防止用突起が必要である。
片手オカリナ本体（１）は片手で握れる大きさとし、中空状突起（２）の先端を吹き口（３）、他端を本体に立設して歌口（４）とし、オカリナ本体側辺の指先位置に指孔（５ａ）（５ｂ）を任意数設け、側辺上部及び該側辺に沿って落下防止用突起（６ａ）（６ｂ）を任意数設けて片手オカリナとしたが片手で握れる大きさは成人でも男女で異なり、児童とも差がある。
しかし、本発明オカリナは筒型で落下防止用突起が有り、該突起が指孔開閉時用ガイドとしても役立つので手の大きさはあまり問題なく使用できる。  一般的にアルト音域用オカリナは成人用とし、ソプラノ音域用オカリナは小型なので成人用としても使えるが製造過程で指孔位置を変更すれば児童用としても使用できる。
他形態としてオカリナ本体側辺に設けた第一指用指孔は第一指指先で覆え、オカリナの必須指孔総面積を１または数個で満たす大きさの指孔を設けて片手オカリナとした。
【実施例】
【００１２】オカリナは各指で指孔（５ａ）（５ｂ）を全部塞いで吹くと最低音が出て、各指が指孔を全部離すと最高音が出る。  高音になるほど指がオカリナを離れるので保持出来難くなるが側辺上部にオカリナの落下防止用突起（６ａ）を設けると該突起（６ａ）は第二指（７）上部を係止し、さらに、側辺中間部で手指の各指間、例えば第２指と第３指（１０）間、第３指間と第４指（１１）間、第４指間と第５指（１２）間の任意箇所に落下防止用突起（６ｂ）を設けると全指を指孔から離した状態でもオカリナは指間に係止されるので更に安定して掌中に留まりオカリナは落下せず、各指の指孔開閉時用ガイドとしても役立つので演奏中に指位置は変動しない。【００１３】この様に、本発明片手オカリナは片手で保持し、その五指の指先だけで演奏できる。  初心者やリハビリティー用として指孔５個で８音階のオカリナや、上級者用は指孔６個で１０音階のオカリナも出来るので、演奏できる曲目は数百曲も有る。  右手用と左手用では指孔位置が対称となるので別個のオカリナが必要となるが、リハビリティーションしたい手用のオカリナを用いて各指で指孔の開閉ができる様に練習して自分の好きな曲目を覚えながらリハビリティーを行える。
また、片手オカリナで曲を演奏中でも他方の手で点字楽譜を触読したり楽譜を捲ったりでき、演奏の応用として右手用と左手用のオカリナを両手に持って同時に吹けば一人で二重奏することとなり、一方はソプラノ音域用オカリナ、他方はアルト音域用オカリナを持って吹けば広音域の楽曲を演奏することができる。
さらに、他実施例として第一指用指孔（８）は第一指（９）指先で覆え、オカリナの必須指孔総面積を１または数個で満たす大きさの指孔とすると他指孔はほぼ不要となり、第一指指先の僅かな開閉や移動で開口面積を変化させ、音階を変えることが出来るので病気等で片手や指先の動きが不自由な場合でも他指は使わずに指一本でも演奏する事ができる。
【産業上の利用可能性】
【００１４】  小型軽量な本発明片手オカリナは価格も安価であり、片手だけの操作だけなので幼児や高齢者でも演奏できる。  近年は定年前後の高齢者が趣味の幅を広げたいと楽器を始める方が増えているが、事故や病気で片手が不自由な方でも使用でき、後遺症が有る方の医学的リハビリティーの一環として手指の機能回復訓練用に手指を動かす単調な訓練を少しづつでも楽しみながら曲が演奏が出来る目標をたてながら行うことができる。
【符号の説明】
【００１５】  １        片手オカリナ本体
２        中空状突起
３        吹き口
４        歌口
５ａ      指孔
５ｂ      指孔
６ａ      落下防止用突起
６ｂ      落下防止用突起
７        第二指
８        第一指指孔
９        第一指
１０        第三指
１１        第四指
１２        第五指
【図１】
2015225337.tif 000003
【図２】
2015225337.tif 000004
【図３】
2015225337.tif 000005